(57)【要約】【課題】商品載置棚に載置された商品を冷却するとともに、ケース本体の内部で生じたドレン水を良好に処理すること。【解決手段】ケース本体１０の収納室１１に複数段設けられた商品載置棚１６と、収納室１１の内部空気を機械室１２との間で循環させる循環ファン５３と、機械室１２に配設されて循環ファン５３により循環させられる空気を冷却する冷却器５１と、機械室１２に配設されて冷却器５１が空気を冷却することにより生ずる高温排熱を周囲に放出する放熱器５２と、ケース本体１０の内部で生じたドレン水を貯留するドレン皿７５と、ケース本体１０の吸込口６３から吸い込んだ外気を放熱器５２の周囲を通過させてからケース本体１０の吹出口６４より外部に吹き出させる放熱ファン５４と、吹出口６４より吹き出された空気が吸込口６３に向けて通過することを規制するとともにドレン皿７５の周囲を通過するよう案内するガイド部材７５とを備えている。【選択図】図１
2016096844.tif 000002
【特許請求の範囲】
【請求項１】
内部が収納室と機械室とに区画され、かつ前記収納室が少なくとも前面から視認可能な箱状のケース本体と、
前記収納室に上下方向に沿って複数段設けられ、かつ収納対象となる商品を載置する商品載置棚と
を備え、前記前面を通じて前記商品載置棚に載置された商品を視認させるショーケースにおいて、
前記収納室の内部の空気を該収納室と前記機械室との間で循環させる循環手段と、
前記機械室に配設され、かつ前記循環手段により循環させられる空気を冷却する冷却器と、
前記機械室に配設され、かつ前記冷却器が前記空気を冷却することにより生ずる高温排熱を周囲に放出する放熱器と、
前記ケース本体の内部で生じたドレン水を貯留するドレン皿と、
駆動することにより前記ケース本体に設けられた吸込口から吸い込んだ外気を前記放熱器の周囲を通過させてから前記ケース本体に設けられた吹出口より外部に吹き出させる送風手段と、
前記ケース本体に配設され、かつ前記吹出口より吹き出された空気が前記吸込口に向けて通過することを規制するとともに該空気が前記ドレン皿の周囲を通過するよう案内するガイド部材と
を備えたことを特徴とするショーケース。
【請求項２】
前記吸込口及び前記吹出口は、前記ケース本体の底面に形成されており、
前記ガイド部材は、前記吹出口から吹き出された空気を後方に向けて通過するよう案内することを特徴とする請求項１に記載のショーケース。
【請求項３】
前記冷却器は、ペルチェ素子の冷温部分に熱的に接続されており、前記放熱器は、前記ペルチェ素子の高温部分に熱的に接続されていることを特徴とする請求項１又は請求項２に記載のショーケース。
【発明の詳細な説明】
【技術分野】
【０００１】
本発明は、ショーケースに関するものである。
【背景技術】
【０００２】
例えばコンビニエンスストア等の店舗のカウンタ上に設置され、かつ商品を外部から視認可能に載置するショーケースが特許文献１に提案されている。
【０００３】
かかるショーケースは、ケース本体を備えている。ケース本体は、箱状の形態を成しており、内部が収納室と機械室とに区画されている。このケース本体は、収納室を構成する前面が接客面を構成し、かつ該収納室を構成する後面に開口が形成されている。
【０００４】
上記ケース本体の収納室には、商品載置棚が上下方向に沿って複数段設けられている。商品載置棚は、収納対象となる商品を載置するものである。また、ケース本体の後面に形成された開口は、複数のガラス扉が左右にスライド移動することで開閉される。
【０００５】
このようなショーケースは、ケース本体における収納室を構成する前面（接客面）等が透明な樹脂材等で形成されており、これにより接客面を通じて商品載置棚に載置された商品を視認させるようにしている。
【先行技術文献】
【特許文献】
【０００６】
【特許文献１】特開２００８−１６７９２７号公報
【発明の概要】
【発明が解決しようとする課題】
【０００７】
ところで、上述した特許文献１に提案されているショーケースは、各商品載置棚の下面等にヒータを設けることにより、該商品載置棚に載置された商品を加熱する加温専用のショーケースであり、収納対象となる商品を冷却することは考えられていなかった。
【０００８】
そこで、特許文献１に提案されているショーケースにおいて、商品載置棚に載置された商品を冷却する場合には、ケース本体の内部に冷却器を配設して、該冷却器により収納室の内部空気を冷却することが考えられる。
【０００９】
しかしながら、ケース本体に冷却器を配設する場合には、該冷却器により凝縮水等のドレン水が生ずるのが一般的であり、かかるドレン水を処理する必要がある。
【００１０】
本発明は、上記実情に鑑みて、商品載置棚に載置された商品を冷却するとともに、ケース本体の内部で生じたドレン水を良好に処理することができるショーケースを提供することを目的とする。
【課題を解決するための手段】
【００１１】
上記目的を達成するために、本発明に係るショーケースは、内部が収納室と機械室とに区画され、かつ前記収納室が少なくとも前面から視認可能な箱状のケース本体と、前記収納室に上下方向に沿って複数段設けられ、かつ収納対象となる商品を載置する商品載置棚とを備え、前記前面を通じて前記商品載置棚に載置された商品を視認させるショーケースにおいて、前記収納室の内部の空気を該収納室と前記機械室との間で循環させる循環手段と、前記機械室に配設され、かつ前記循環手段により循環させられる空気を冷却する冷却器と、前記機械室に配設され、かつ前記冷却器が前記空気を冷却することにより生ずる高温排熱を周囲に放出する放熱器と、前記ケース本体の内部で生じたドレン水を貯留するドレン皿と、駆動することにより前記ケース本体に設けられた吸込口から吸い込んだ外気を前記放熱器の周囲を通過させてから前記ケース本体に設けられた吹出口より外部に吹き出させる送風手段と、前記ケース本体に配設され、かつ前記吹出口より吹き出された空気が前記吸込口に向けて通過することを規制するとともに該空気が前記ドレン皿の周囲を通過するよう案内するガイド部材とを備えたことを特徴とする。
【００１２】
また本発明は、上記ショーケースにおいて、前記吸込口及び前記吹出口は、前記ケース本体の底面に形成されており、前記ガイド部材は、前記吹出口から吹き出された空気を後方に向けて通過するよう案内することを特徴とする。
【００１３】
また本発明は、上記ショーケースにおいて、前記冷却器は、ペルチェ素子の冷温部分に熱的に接続されており、前記放熱器は、前記ペルチェ素子の高温部分に熱的に接続されていることを特徴とする。
【発明の効果】
【００１４】
本発明によれば、循環手段が、収納室の内部の空気を収納室と機械室との間で循環させ、機械室に配設された冷却器が循環手段により循環させられる空気を冷却するので、収納室の内部空気を冷却して商品載置棚に載置された商品を良好に冷却することができる。また、機械室に配設された放熱器が、冷却器が空気を冷却することにより生ずる高温排熱を周囲に放出し、送風手段が、ケース本体に設けられた吸込口から吸い込んだ外気を放熱器の周囲を通過させてからケース本体に設けられた吹出口より外部に吹き出させ、ケース本体に配設されたガイド部材が、吹出口より吹き出された空気が吸込口に向けて通過することを規制するとともに、空気がケース本体の内部で生じたドレン水を貯留するドレン皿の周囲を通過するよう案内するので、ケース本体の内部に生じたドレン水を蒸発させることができる。よって、商品載置棚に載置された商品を冷却するとともに、ケース本体の内部で生じたドレン水を良好に処理することができるという効果を奏する。
【図面の簡単な説明】
【００１５】
【図１】図１は、本発明の実施の形態であるショーケースの内部構造を左側から見た場合を模式的に示す断面側面図である。
【図２】図２は、図１に示したショーケースにおけるケース本体の後面側を拡大して模式的に示す拡大平面図である。
【図３】図３は、図１に示したショーケースにおけるケース本体の後面側を拡大して模式的に示す拡大平面図である。
【図４】図４は、図１に示したドレン皿を後方側から見た場合を示す説明図である。
【発明を実施するための形態】
【００１６】
以下に添付図面を参照して、本発明に係るショーケースの好適な実施の形態について詳細に説明する。
【００１７】
図１は、本発明の実施の形態であるショーケースの内部構造を左側から見た場合を模式的に示す断面側面図である。ここで例示するショーケースは、例えばコンビニエンスストア等の店舗のカウンタ上に設置されてドーナツ等の商品を陳列するものであり、ケース本体１０、扉体３０及び冷却ユニット５０を備えて構成してある。
【００１８】
ケース本体１０は、箱状の形態を成しており、内部が収納室１１と機械室１２とに上下に区画されている。このケース本体１０は、収納室１１を構成する前面１３が接客面を構成し、かつ該収納室１１を構成する後面１４に開口（以下、後面開口ともいう）１５が形成されている。かかるケース本体１０では、収納室１１を構成する前面１３及び左右両側面は、断熱構造を有する透明なガラス材や樹脂材により構成されており、収納室１１の内部が外部から視認可能である。
【００１９】
上記ケース本体１０における収納室１１には、複数（図示の例では４つ）の商品載置棚１６が上下方向に沿って複数段並べて配設されている。各商品載置棚１６は、棚板１７を有している。
【００２０】
棚板１７は、平板状の形態を成すものであり、その上面が商品を載置するための商品載置面を構成している。この棚板１７は、左右一対のブラケット部材１８に、レール部材１９を介して支持されている。ここでブラケット部材１８は、収納室１１の後方側において左右一対となる態様で立設された支柱２０に取り付けられている。尚、図１では、左右一対のブラケット部材１８のうち右側のブラケット部材１８のみを図示し、左右一対の支柱２０のうち右側の支柱２０のみを図示している。
【００２１】
レール部材１９は、自身の内部にブラケット部材１８に配設されたブラケットローラ（図示せず）が進入して転動することで、ブラケット部材１８に対して前後方向に沿ってスライド移動可能なものである。棚板１７は、自身に配設された棚板ローラ（図示せず）がレール部材１９に進入して転動することで、レール部材１９に対して前後方向に対してスライド移動可能なものである。
【００２２】
よって、上記棚板１７は、引出操作された場合には、後面開口１５を通じて後方に向けてスライド移動することが可能であり、押出操作された場合には、後面開口１５を通じて前方に向けてスライド移動することが可能である。そして、このような棚板１７の上面には、商品ガイド２１に支持された状態でドーナツ等の商品が前後方向及び左右方向に並ぶよう載置されている。
【００２３】
扉体３０は、後面開口１５を開閉するためのものであり、後面開口１５を閉塞するのに十分な大きさを有した平板状部材である。この扉体３０の前面の周縁部、すなわち後面開口１５を閉塞する場合に該後面開口１５の周縁部を形成するケース本体１０の金属製フレームに対向する部分にガスケット部材３１が配設してある。かかるガスケット部材３１としては、扉体３０が後面開口１５を閉塞する際に、磁力の作用により後面開口１５の周縁部に吸着することが可能なマグネットガスケットであることが好ましい。
【００２４】
このような扉体３０は、図２に示すように、扉体支持部材４０により支持されている。扉体支持部材４０は、上下に例えば２つ設けてある。これら扉体支持部材４０は、それぞれケース本体１０の後面１４を構成する後面開口１５の右側縁部（金属製フレーム）に配設してあり、取付部４１と軸保持部４２とを備えている。
【００２５】
取付部４１は、上方から見た場合にＬ字状を成す板状部材であり、上記右側縁部にビス等で取り付けられる取付基部４１１と、この取付基部４１１の右端部より後方側に向けて延在する取付後延部４１２とを有している。
【００２６】
軸保持部４２は、前端部が上記取付後延部４１２にビス等で取り付けられるとともに、上下方向に沿って所定間隔毎に形成された舌片状の後端部が上下方向に沿って延在する軸部３２を貫通させる中空孔４２１を形成するようカール状に形成されて構成されている。この軸保持部４２は、基端部が扉体３０の後面に取り付けられるとともに先端部が該軸部３２を巻回する扉体用軸保持部３３と蝶番を構成している。つまり、軸保持部４２は、扉体用軸保持部３３との間では、互いに軸部３２の中心軸回りに回転可能となっている。これにより、扉体３０は軸部３２の中心軸回りに揺動する態様で開閉移動するものである。
【００２７】
従って、扉体支持部材４０は、軸保持部４２を通じて保持する軸部３２の中心軸回りに揺動する態様で扉体３０を開閉可能に支持するものである。また扉体支持部材４０は、軸部３２をケース本体１０の後面１４から後方側に離隔させつつ後面開口１５の右側縁部よりも右方側で保持している。
【００２８】
このような扉体支持部材４０は、図３に示すように、扉体３０が開操作された場合には、図３中の二点鎖線で示すように、棚板１７の後方へのスライド移動可能な領域Ｓからガスケット部材３１だけでなく該扉体３０の前面に取り付けられた部材が退避するように扉体３０が開移動することを許容するものである。
【００２９】
冷却ユニット５０は、ケース本体１０における機械室１２に配設してある。この冷却ユニット５０は、冷却器５１、放熱器５２、循環ファン（循環手段）５３及び放熱ファン（送風手段）５４を備えて構成してある。
【００３０】
冷却器５１は、収納室１１と機械室１２とを区画する収納室１１の底面に形成された吸引口６１の下方側に配設してあり、ペルチェ素子５５の冷温部分に熱的に接続してある。ここで、ペルチェ素子５５は、従来公知のものであり、ｐ型半導体とｎ型半導体とを電極板によって交互に直列に接続し、これら半導体の表裏に絶縁板を配設したものである。このようなペルチェ素子５５は、直流電流が電極板に与えられることにより、一方の絶縁板は吸熱し（冷温部分となり）、他方の絶縁板が発熱する（高温部分となる）ものである。
【００３１】
上記冷却器５１は、熱伝導性に優れた材料により構成されており、図には明示していないが、複数のフィンが設けられ、これらフィン間が空気が通過するための空気通路を構成している。かかる冷却器５１は、ペルチェ素子５５から与えられる冷熱により、空気通路を通過する空気を冷却するものである。
【００３２】
放熱器５２は、冷却器５１の前方側に配設してあり、ペルチェ素子５５の高温部分に熱的に接続してある。この放熱器５２は、熱伝導性に優れた材料により構成されており、図には明示していないが、複数のフィンが設けられ、これらフィン間が空気が通過するための空気通路を構成している。かかる放熱器５２は、ペルチェ素子５５から与えられる高温排熱により、空気通路を通過する空気を加熱して放熱するものである。
【００３３】
循環ファン５３は、上記吸引口６１と、収納室１１の底面における吸引口６１の後方側に形成された吐出口６２とに連通するよう形成された風洞５６の内部において、冷却器５１の後方側に配設してある。この循環ファン５３は、駆動することにより上記吸引口６１を通じて収納室１１の内部の空気を吸引し、冷却器５１の空気通路に吸引した空気を通過させる。
【００３４】
そして、循環ファン５３は、冷却器５１の空気通路を通過した空気を、吐出口６２を通じて収納室１１に吐出することで、収納室１１の内部の空気を収納室１１と機械室１２との間で循環させるものである。
【００３５】
放熱ファン５４は、上記放熱器５２の前方側に配設してある。この放熱ファン５４は、駆動することにより機械室１２の底面に形成された吸込口６３を通じて外気を吸い込んで放熱器５２の空気通路を通過させる。そして、放熱ファン５４は、放熱器５２の空気通路を通過した外気を、機械室１２の底面に形成された吹出口６４を通じて外部に吹き出させるものである。
【００３６】
このような機械室１２の底面、すなわちケース本体１０の底面には、上記吸引口６１及び上記吹出口６４の他、ドレン水排出口６５が形成されるとともに、ドレン皿７１及びガイド部材７５が設けてある。
【００３７】
ドレン水排出口６５は、吹出口６４よりも後方側に形成されており、ケース本体１０の内部（例えば冷却器５１等）で発生して樋部材６６を通じて移動したドレン水を外部に排出するための開口である。
【００３８】
ドレン皿７１は、ドレン水排出口６５の下方域に配設されており、ドレン水排出口６５を通じて排出されたドレン水を貯留するためのものである。このドレン皿７１は、図４に示すように、上部に形成された鍔部分７２が機械室１２の底面より下方に突出する態様で形成された左右一対のドレン支持部材７３に支持されている。
【００３９】
ガイド部材７５は、平板状部材を屈曲して形成したものであり、吸込口６３と吹出口６４との間において機械室１２の底面より下方に突出する態様で配設してある。このガイド部材７５は、基部７５１と、下延部７５２と、後延部７５３とを有している。
【００４０】
基部７５１は、機械室１２の底面に取り付けられる部位である。下延部７５２は、基部７５１の後端縁部より下方に向けて延在する部位である。後延部７５３は、下延部７５２の延在端部である下端部より後方に向けて延在する部位である。
【００４１】
上記ガイド部材７５は、左右方向の長さは、吸込口６３や吹出口６４よりも大きく形成してあり、吹出口６４から吹き出された空気が前方側の吸込口６３に向けて通過することを規制しつつ、後方側のドレン皿７１の周囲を通過するよう案内するものである。尚、図１中の符号２２は、ケース本体１０の脚部であり、符号３４は、扉体３０の後面１４に設けられた把手部である。
【００４２】
以上のような構成を有するショーケースにおいては、扉体３０が後面開口１５を閉塞した状態で循環ファン５３が駆動することにより、収納室１１の内部空気が吸引口６１を通じて冷却器５１の空気通路を通過して冷却されてその後に吐出口６２を通じて収納室１１に吐出されることで、収納室１１の内部空気が冷却され、これにより商品載置棚１６に載置された商品が冷却される。
【００４３】
その一方、放熱ファン５４が駆動することにより、外気が吸込口６３を通じて放熱器５２の空気通路を通過して加熱されてその後に吹出口６４より外部に吹き出される。外部に吹き出された空気は、ガイド部材７５によって、後方に向けて移動し、ドレン皿７１の周囲を通過して排出される。
【００４４】
またショーケースは、商品載置棚１６に載置された商品の取り出し作業を行う場合には、扉体３０が開操作されて開移動することで後面開口１５を開放させる。その後に所望の商品を載置する商品載置棚１６の棚板１７が後方に向けて引き出される引出操作が行われることで、該棚板１７が後方に向けてスライド移動して、商品の取り出し作業が行われる。
【００４５】
商品の取り出しが行われた後、引出操作された棚板１７が前方に向けて押し込まれる押出操作が行われることで、該棚板１７が前方に向けてスライド移動する。その後に扉体３０が閉操作されて閉移動することでガスケット部材３１がケース本体１０の後面１４における後面開口１５の周縁部に吸着して該後面開口１５が閉塞される。
【００４６】
以上説明したような本実施の形態であるショーケースによれば、扉体３０が開操作されて開移動することで後面開口１５を開放し、所望の商品載置棚１６の棚板１７が引出操作されて該後面開口１５を通じて棚板１７をケース本体１０の外部にスライド移動させることで、従来のようにケース本体の内部に店舗の従業員の手指を進入させなくても、ケース本体１０の外部にスライド移動させた棚板１７に対して商品の取り出し等の作業を行うことができる。よって、商品の取り出し等の作業を簡単に行うことができる。
【００４７】
特に扉体支持部材４０が、扉体３０が開操作された場合には、棚板１７の後方へのスライド移動可能な領域Ｓからガスケット部材３１だけでなく該扉体３０の前面に取り付けられた部材が退避するように扉体３０が開移動することを許容するので、ガスケット部材３１と棚板１７とが干渉することがなく、ガスケット部材３１が破損等してしまうことを防止できる。このようにガスケット部材３１が破損等してしまうことを防止できるので、結果的に扉体３０が後面開口１５を閉塞する場合に収納室１１の密閉性を長期間に亘って維持することができるとともに、使用寿命の長大化を図ることができる。
【００４８】
また、扉体支持部材４０がケース本体１０の後面１４よりも後方側に離隔した個所に軸部３２を保持するので、扉体３０が後面開口１５を閉塞する際に、ガスケット部材３１の前面をケース本体１０の後面１４における後面開口１５の周縁部に当接させることができる。つまり、扉体３０が後面開口１５を閉塞する際に、軸部３２に最も近接する扉体３０の前面の右側に配設されたガスケット部材３１のみが他のガスケット部材３１よりも先に弾性変形してしまうことを防止することができ、該ガスケット部材３１が他のガスケット部材３１よりも先に破損等してしまうことを抑制できる。よって、これによっても使用寿命の長大化を図ることができる。
【００４９】
更に、ガスケット部材３１がマグネットガスケットであることにより、閉移動する扉体３０がケース本体１０にある程度近接すると、磁力の作用によりガスケット部材３１がケース本体１０の後面開口１５の周縁部に吸着するので、収納室１１の密閉性を向上させることができるとともに、扉体３０が後面開口１５を確実に閉塞することができる。
【００５０】
上記ショーケースによれば、冷却器５１及び循環ファン５３により収納室１１の内部空気を冷却して商品載置棚１６に載置された商品を良好に冷却することができるとともに、放熱器５２で加熱された外気をガイド部材７５がドレン皿７１に向けて通過させるので、ケース本体１０の内部に生じたドレン水を良好に蒸発させて処理することができる。
【００５１】
特に放熱器５２で加熱された外気をドレン皿７１に向けて通過させることで、ドレン皿７１の小型化を図ることができる。このようにドレン皿７１の小型化を図ることで、冷却器５１で冷却された空気が通過する風洞５６を相対的に大型化させることができる。よって、冷却器５１による商品の冷却効率の向上を図ることができる。
【００５２】
また、ガイド部材７５が加熱された外気をドレン皿７１に向けて通過させることで、ドレン皿７１に貯留されたドレン水を蒸発させるための蒸発シート等を必要とせず、製造コストの増大化を抑制することもできる。
【００５３】
更に、ガイド部材７５が加熱された外気をドレン皿７１に向けて通過させることで、該外気は後方に向けて通過することとなり、前面１３が接客面となるショーケースにおいては、商品の購入を希望する者に対してドレン水の蒸発に供した外気を吹き出してしまうことがない。
【００５４】
以上、本発明の好適な実施の形態について説明したが、本発明はこれに限定されるものではなく、種々の変更を行うことができる。
【００５５】
上述した実施の形態では、扉体支持部材４０は、ケース本体１０の後面１４における後面開口１５の右側縁部に配設されていたが、本発明においては、後面の開口の一側縁部であれば配設個所は特に限定されるものではない。
【符号の説明】
【００５６】
１０  ケース本体
１１  収納室
１２  機械室
１３  前面
１４  後面
１５  後面開口
１６  商品載置棚
１７  棚板
３０  扉体
３１  ガスケット部材
３２  軸部
３３  扉体用軸保持部
４０  扉体支持部材
４１  取付部
４２  軸保持部
５０  冷却ユニット
５１  冷却器
５２  放熱器
５３  循環ファン（循環手段）
５４  放熱ファン（送風手段）
５５  ペルチェ素子
６３  吸込口
６４  吹出口
７１  ドレン皿
７５  ガイド部材
Ｓ  領域
【図１】
2016096844.tif 000003
【図２】
2016096844.tif 000004
【図３】
2016096844.tif 000005
【図４】
2016096844.tif 000006